(57)【要約】      （修正有）【課題】種々の薄型部材を保護するための複数枚のボードが折り畳まれた状態と展開し自立可能な状態とに容易に姿勢転換できるようにしたスタンド機能付きカバーを提供する。【解決手段】このスタンド機能付きカバーは、第１のボード１０と、第１のボード１０の外面中間部に上端縁２１が枢着された第２のボード２０と、第２のボード２０の下端縁２２に下端縁３２が枢着された第３のボード３０と、第３のボード３０の上端縁３１に下端縁４２が枢着された第４のボード４０とを備えている。第２のボード２０の下端縁２２が第１のボード１０の下端縁に沿い、第３のボード３０と第４のボード４０とがフラットな平面となって第１のボード１０の内面側に重なる折畳み姿勢Ａと、第２のボード２０の上端縁２１が第１のボード１０を支えるようにして第１のボード１０と第２のボード２０とが傾斜姿勢となる自立姿勢Ｂとに姿勢転換できるようにされている。【選択図】図７
2018015899.tif 000002
【特許請求の範囲】
【請求項１】
第１のボードと、この第１のボードの外面中間部に上端縁が枢着された第２のボードと、この第２のボードの下端縁に下端縁が枢着された第３のボードと、この第３のボードの上端縁に下端縁が枢着された第４のボードとを備え、
前記第２のボードの下端縁が前記第１のボードの下端縁に沿い、第３のボードと第４のボードとがフラットな平面となって第１のボードの内面側に重なる折畳み姿勢と、
第１のボードの下端縁と第２のボードの下端縁とが離れ、第２のボードの上端縁が第１のボードを支えるようにして第１のボードと第２のボードとが傾斜姿勢となり、第４のボードの上端縁が第１のボードと第２のボードとの枢着部に嵌り込み、第４のボードの外面側が第１のボードの外面側に重なるような自立姿勢とに姿勢転換できるようにされていることを特徴とするスタンド機能付きカバー。
【請求項２】
前記第２のボードは、他のボードよりも幅狭とされ、前記第１のボードは、前記折畳み姿勢の第２のボードが嵌り込む切欠部を備えていることを特徴とする請求項１に記載のスタンド機能付きカバー。
【請求項３】
前記第２のボードの上端縁に内向きに食い込む一対の凹状鉤部が設けられ、前記第４のボードの上端縁に前記一対の凹状鉤部間の上端縁が嵌り込む凹状係合部が設けられていることを特徴とする請求項２に記載のスタンド機能付きカバー。
【請求項４】
前記第１のボードの内面と前記第４のボードの内面とを着脱させる着脱部材を備えていることを特徴とする請求項１ないし３のいずれか一項に記載のスタンド機能付きカバー。
【請求項５】
前記第１のボードの外面及び前記第４のボードの外面の少なくともいずれか一方に小物入れが備えられていることを特徴とする請求項１ないし４のいずれか一項に記載のスタンド機能カバー。
【請求項６】
前記第１のボードの上部と前記第４のボードの上部とに連通した開口部が備えられていることを特徴とする請求項１ないし５のいずれか一項に記載のスタンド機能カバー。
【発明の詳細な説明】
【技術分野】
【０００１】
本発明は、ホワイトボードや紙葉類、薄型コンピュータ（タブレット）のような薄型部材などを保護する複数枚のボードを備え、この複数枚のボードが折り畳まれた状態と展開して自立可能な状態とに姿勢転換できるようにしたスタンド機能付きカバーに関する。
【背景技術】
【０００２】
プレゼンテーションなどにおいて使用されるホワイトボードとして、Ａ３サイズやＡ２サイズの大形のものが提供されている。このような大型のホワイトボードを携行するには、扁平な手提げ鞄などに入れることもできるが、衝撃力などの外力が加えられると、変形してしまう。また、出先においてホワイトボードを使用するに際して、ホワイトボードを自立姿勢させるスタンドを別途、携行しなければならない。
【０００３】
ホワイトボードと同様の薄型のタブレットやポータブルスクリーンなどの電子装置を覆って保護する状態と、電子装置を傾いた状態に自立させる状態とに変化できるようにしたカバーが特許文献１に記載されている。このカバーは、第１のボード（第一部分）、第２のボード（第二部分）、第３のボード（第三部分）を備え、第１のボードの下端縁が電子装置の下端縁に回動可能に連結（枢着）され、第１のボードの上端縁と第２のボードの中間部分とが枢着され、第２のボードの上端縁と第３のボードの下端縁とが枢着されている。
【０００４】
このカバーは、第２のボードと第３のボードが電子装置の表面に重なった状態となり、この状態で電子装置を保護する。そして、第３のボードが電子装置の裏面に重なり、第２のボードが電子装置の裏面から斜めむきに飛び出た状態となり、第１のボードが第２のボードの中間部を支えるように斜め向きの姿勢となることで、電子装置が斜め向きに立てかけられた自立姿勢を維持する。
【先行技術文献】
【特許文献】
【０００５】
【特許文献１】実用新案登録第３１８２５５６号公報
【発明の概要】
【発明が解決しようとする課題】
【０００６】
特許文献１に記載されたカバーは、電子装置を構成要素としているため、タブレットやポータブルスクリーンごとの専用品となり、ホワイトボードを保護するために転用することができない。さらに、電子装置を第４のボードと見立てたとしても、全ボードが重なり合った状態から斜め向きに自立した状態に操作したり、逆の操作をしたりするには、それぞれのボードを中心に大きく回転しなければならず、特に、Ａ２サイズのボードを姿勢転換する操作は困難になる。
【０００７】
そこで、本発明は、種々の薄型部材を保護するための複数枚のボードが折り畳まれた状態と展開し自立可能な状態とに容易に姿勢転換できるようにしたスタンド機能付きカバーを提供することを課題とする。
【課題を解決するための手段】
【０００８】
本発明に係るスタンド機能付きカバーは、第１のボードと、この第１のボードの外面中間部に上端縁が枢着された第２のボードと、この第２のボードの下端縁に下端縁が枢着された第３のボードと、この第３のボードの上端縁に下端縁が枢着された第４のボードとを備え、前記第２のボードの下端縁が前記第１のボードの下端縁に沿い、第３のボードと第４のボードとがフラットな平面となって第１のボードの内面側に重なる折畳み姿勢と、第１のボードの下端縁と第２のボードの下端縁とが離れ、第２のボードの上端縁が第１のボードを支えるようにして第１のボードと第２のボードとが傾斜姿勢となり、第４のボードの上端縁が第１のボードと第２のボードとの枢着部に嵌り込み、第４のボードの外面側が第１のボードの外面側に重なるような自立姿勢とに姿勢転換できるようにされていることを特徴としている。
【０００９】
このスタンド機能付きカバーによれば、第３のボードと第４のボードとがフラットな面となって第１のボードの内面側に重なる折畳み姿勢とすることで、各ボードにホワイトボードや紙葉類などを保護した状態に挟んだ上で携行しやすくすることができる。そして、第４のボードの外面側が第１のボードの外面側に重なるような自立姿勢とすることで、第１のボードの内面が上向きに傾斜する。第１のボードの内面にホワイトボードが重ねられていると、この自立姿勢において、ホワイトボードを使用したプレゼンテーションをしやすくすることができる。
【００１０】
前記本発明に係るスタンド機能付きカバーの一態様として、前記第２のボードは、他のボードよりも幅狭とされ、前記第１のボードは、前記折畳み姿勢の第２のボードが嵌り込む切欠部を備えていることが好ましい。このスタンド機能付きカバーによれば、折畳み姿勢において、第２のボードが第１のボードの切欠部に嵌り込むことで、第１のボードと第２のボードとをフラットにすることができる。
【００１１】
前記本発明に係るスタンド機能付きカバーの一態様において、前記第２のボードの上端縁に内向きに食い込む一対の凹状鉤部が設けられ、前記第４のボードの上端縁に前記一対の凹状鉤部間の上端縁が嵌り込む凹状係合部が設けられていることが好ましい。このスタンド機能付きカバーによれば、自立姿勢において、第４のボードの上端縁が第１のボードと第２のボードとの枢着部に嵌り込んだときに、第２のボードの一対の凹状鉤部間の上端縁が第１のボードの凹条係合部内に嵌り込むことで、第４のボードが第１のボードに対して位置ずれしないようにすることができる。
【００１２】
また、本発明に係るスタンド機能付きカバーの他態様として、前記第１のボードの内面と前記第４のボードの内面とを着脱させる着脱部材を備えていることが好ましい。このスタンド機能付きカバーによれば、折畳み姿勢において第１のボードの内面と第４のボードの内面とが重なったときに、着脱部材によって第１のボードの内面と第４のボードの内面とが離れないようにすることができる。
【００１３】
また、本発明に係るスタンド機能付きカバーの異なる他態様として、前記第１のボードの外面及び前記第４のボードの外面の少なくともいずれか一方に小物入れが備えられていてもよい。このスタンド機能付きカバーによれば、小物入れに書き消し可能なペンなどの筆記具を収納することができ、例えば、スタンド機能付きカバー内にホワイトボードがセットされている場合において、利便性を向上させることができる。
【００１４】
また、本発明に係るスタンド機能付きカバーのさらに異なる他態様として、前記第１のボードの上部と前記第４のボードの上部とに連通した開口部が備えられていてもよい。このスタンド機能付きカバーによれば、開口部を持ち手として使用することができる。
【発明の効果】
【００１５】
本発明によれば、種々の薄型部材を保護するための複数枚のボードが折り畳まれた状態と展開し自立可能な状態とに容易に姿勢転換できるようにしたスタンド機能付きカバーを提供することができる。
【図面の簡単な説明】
【００１６】
【図１】本発明に係るスタンド機能付きカバーの一実施形態を示す展開図である。
【図２】本発明に係るスタンド機能付きカバーの一実施形態であって、（ａ）は折畳み姿勢を正面側から見た斜視図、（ｂ）は折畳み姿勢を背面側から見た斜視図である。
【図３】本発明に係るスタンド機能付きカバーの一実施形態であって、折畳み姿勢から自立姿勢に移行する途中の形態を示す斜視図である。
【図４】本発明に係るスタンド機能付きカバーの一実施形態であって、折畳み姿勢から自立姿勢に移行する途中の形態を示す斜視図である。
【図５】本発明に係るスタンド機能付きカバーの一実施形態であって、折畳み姿勢から自立姿勢に移行する途中の形態を示す斜視図である。
【図６】本発明に係るスタンド機能付きカバーの一実施形態であって、折畳み姿勢から自立姿勢に移行する途中の形態を示す斜視図である。
【図７】本発明に係るスタンド機能付きカバーの一実施形態であって、（ａ）は自立姿勢を正面側から見た斜視図、（ｂ）は自立姿勢を背面側から見た斜視図である。
【発明を実施するための形態】
【００１７】
本発明に係るスタンド機能付きカバーの一実施形態について図１ないし図７を参照しながら説明する。このスタンド機能付きカバーは、図１に示すように、例えば第１のボード１０と、この第１のボード１０の外面中間部に上端縁２１が回動自在に連結（枢着）された第２のボード２０と、この第２のボード２０の下端縁２２に下端縁３２が枢着された第３のボード３０と、この第３のボード３０の上端縁３１に下端縁４２が枢着された第４のボード４０とを備え、折畳み姿勢Ａと自立姿勢Ｂとに姿勢転換できるようにされている。なお、第２のボード２０の下端縁２２と第３のボード３０の下端縁３２との連結部分に幅をもたせることで、厚めの薄型部材を挟めるようにした襠（まち）を備えることができる。
【００１８】
また、いずれのボード１０，２０，３０，４０も四角形状とされ、厚紙、段ボール、硬質プラスチック、木板あるいは金属板などの板状の芯材と、この芯材を被覆する塩化ビニルなどによって形成されている。また、第３のボード３０の長さ（上端縁３１から下端縁３２までの長さ）と第４のボード４０の長さ（上端縁４１から下端縁４２までの長さ）とを加算した長さが、第１のボード１０の長さ（上端縁１１から下端縁１２までの長さ）と同じとされている。
【００１９】
そして、第２のボード２０は、他のボード１０，３０，４０よりも幅狭とされている。そして、第１のボード１０は、折畳み姿勢Ａの第２のボード２０が嵌り込む四角形状の切欠部１３を備えている。したがって、第１のボード１０の下端縁１２は、中間部で不連続とされている。この切欠部１３は、第１のボード１０の内面にホワイトボード１が貼り付けられることで塞がれる。そして、第２のボード２０の上端縁２１に内向きに食い込む一対の凹状鉤部２３，２３が設けられ、第４のボード４０の上端縁４１に前記一対の凹状鉤部２３，２３間の上端縁が嵌り込む凹状係合部４３が設けられている。
【００２０】
そして、第１のボード１０と第４のボード４０とには、着脱部材５０が備えられている。この着脱部材５０は、第１のボード１０の上端縁１１の内側面中央部と、第１のボード１０の下端縁１２の外側面両端部と、第４のボード４０の上端縁４１の内側面中央部と、第４のボード４０の下端縁４２の外側面中央部とに貼着されている。この着脱部材５０は、例えば、面ファスナーやマグネット、ホック、一対の紐など限定することなく採用できる。ただし、面ファスナーは、嵩張らず、容易に着脱することができ、しかも、十分な貼着力が発揮されるため、最も好ましい。
【００２１】
そして、第１のボード１０の外面及び第４のボード４０の外面の少なくともいずれか一方に小物入れ６０が備えられている。小物入れ６０は、上側を開口したポケット状の本体部６１と、本体部６１の開口を開閉する蓋体６２と、蓋体６２が閉じた状態を維持させる係止具６３とを備えている。係止具６３は、マグネット、面ファスナー、ホック、ボタンなど限定することなく採用できる。ただし、マグネットであれば、手探りで開閉することができる。
【００２２】
そして、第１のボード１０の上部と第４のボード４０の上部とには、折畳み姿勢において連通した開口部１４，４４が備えられている。開口部１４，４４は、持ち手として使用される。
【００２３】
ここで、以上のように構成されたスタンド機能付きカバーを折畳み姿勢Ａと自立姿勢Ｂとに姿勢転換する形態について説明する。折畳み姿勢Ａでは、図２に示すように、第２のボード２０が第１のボード１０の切欠部１３内に嵌り込み、第２のボード２０の下端縁２２と前記第１のボード１０の下端縁１２とが一直線に並び、この両下端縁２２，１２と第３のボード３０の下端縁３２とが重なっている。また、第１のボード１０の上端縁１１と第４のボード４０の上端縁４１とが重なり、第３のボード３０と第４のボード４０とがフラットな平面となって第１のボード１０の内面側及び第２のボード２０の内面に重ねられている。
【００２４】
そして、このスタンド機能付きカバーは、図３ないし図７に示すようにして自立姿勢Ｂに姿勢転換する。すなわち、立てた姿勢の第１ないし第３のボード１０，２０，３０の下端縁１２，２２，３２をテーブルなどの台上に置き、図示しないが、第１のボード１０の下端縁１２及び第２のボード２０の下端縁２２と第３のボード３０の下端縁３２とが枢着された部分を回転軸にして、第３のボード３０及び第４のボード４０の内側面がホワイトボード１から離れ、第３のボード３０の外側面及び第４のボード４０の外側面を第１及び第２のボード１０，２０から離して台上に重ねた状態とする。
【００２５】
なお、寝かせた姿勢の第３及び第４のボード３０，４０を台上に重ねた状態としてから、第１のボード１０の上端縁１１と第４のボード４０の上端縁４１とを離し、第１及び第２のボード１０，２０を立てた姿勢としてもよい。いずれにしても、第２のボード２０は、起立した姿勢（わずかに傾斜した姿勢でもよい。）となっている。
【００２６】
次に、図４に示すように、起立した姿勢の第２のボード２０の上端縁と第１のボード１０の中間部とが枢着された部分を回転軸として、第１のボード１０の下端部１２を下向きから斜め上向きとし、第１のボード１０を傾斜姿勢とする。そして、第３のボード３０の上端縁３１と第４のボード４０の下端縁４２とが枢着された部分を回転軸として、第４のボード４０を回転させ、前屈（かが）みに傾斜した姿勢とする。
【００２７】
次に、図５に示すように、第４のボード４０をさらに回転させて後屈みに傾斜した姿勢とするとともに、図示されていないが、第２のボード２０を前屈みに傾斜した姿勢とする。そして、第１のボード１０の中間部と第２のボード２０の上端縁２１とが枢着された部分に第４のボード４０の上端縁４１が嵌め込まれるようにする。このとき、第１のボード１０は、下端縁１２が上向きの傾斜した姿勢となっている。
【００２８】
次に、図６に示すように、第１のボード１０の下端縁１２が下向きとなるように、第１のボード１０を回転させ、続けて図７に示すように、第１のボード１０の外側面を第４のボード４０の外側面に重ね合わせると、このスタンド機能付きカバーは自立姿勢Ｂとなる。第１のボード１０の下端縁１２側の着脱部材５０と第４のボード４０の下端縁４２側の着脱部材５０とが接着することで、第１のボード１０と第４のボード４０は、重なり合った状態を維持する。
【００２９】
さらに、図７（ｂ）に示すように、第２のボード２０の一対の凹状鉤部２３，２３が第４のボード４０の上端縁４１の凹状係合部４３に嵌り込むことで、第２のボード２０が第１のボード１０に対して位置ずれしない。したがって、第１のボード１０の内側面にホワイトボード１が貼り付けられ、ホワイトボード１に文字や図形などを書き消しするときであっても、このスタンド機能付きカバーは、自立姿勢Ｂを維持する。
【００３０】
そして、自立姿勢Ｂのスタンド機能付きカバーを折畳み姿勢Ａとするには、前記と逆の操作を行う。このいずれの姿勢の転換においても、第２のボード２０が起立した高さで行えるため、例えば、ボードがＡ２サイズのような大型であっても、各ボード１０，２０，３０，４０を大きく回転させることなく、小さく揺動させるだけでよい。
【００３１】
また、スタンド機能付きカバーが小物入れ６０を備えていると、小物入れ６０に書き消し可能なペンなどを収納しておくことで、このスタンド機能付きカバーを携行するだけで、ペンケースなどを別途携行しなくてもよい。また、第１のボード１０と第４のボード４０に備えられた開口部１４，４４を持ち手とすることで、例えばＡ２サイズの大形のスタンド機能付きカバーであっても、ぶら提げて携行することができる。
【００３２】
なお、本発明は、上記実施の形態に限定することなく、種々変更することができる。例えば、スタンド機能付きカバーは、第２のボード２０が凹状鉤部２３，２３を備えず、第４のボード４０が凹状係合部４３を備えなくてもよい。特に、少なくとも第１のボード１０の表面と第２のボード２０の表面が滑りにくい材質で成形されたり、滑りにくい材質で被覆されていたりすると、凹状鉤部２３，２３と凹状係合部４３は備えられていなくてよい。
【００３３】
また、第１のボード１０は、切欠部１３を備えることなく、単なる平板としてもよい。さらに、第２のボード２０の上端縁が枢着される第１のボード１０は、図示した位置よりも上端縁側に寄っていてもよい。また、着脱部材５０や小物入れ６０、開口部１４，４４は、必ずしも備えられていなくてもよいことはいうまでもない。
【００３４】
また、上記実施形態では、各ボード１０，２０，３０，４０が、板状の芯材と、この芯材を被覆する塩化ビニルによって形成されているとしたが、塩化ビニルで被覆されることなく、厚紙、段ボール、硬質プラスチック、木板あるいは金属板を露出させ、１枚ものに折り目を付けて各ボード１０，２０，３０，４０に区切ったり、複数枚ボード１０，２０，３０，４０を蝶番によって連結したりしてもよい。
【００３５】
また、このスタンド機能付きカバーによって保護されるものは、ホワイトボード１に限定されず、図面や書類のような紙葉類や、薄型コンピュータ（タブレット）のような各種の薄型部材でも使用することができる。
【符号の説明】
【００３６】
１    ホワイトボード
１０    第１のボード
１１    上端縁
１２    下端縁
１３    切欠部
１４    開口部
２０    第２のボード
２１    上端縁
２２    下端縁
２３    凹状鉤部
３０    第３のボード
３１    上端縁
３２    下端縁
４０    第４のボード
４１    上端縁
４２    下端縁
４３    凹状係合部
４４    開口部
５０    着脱部材
６０    小物入れ
Ａ    折畳み姿勢
Ｂ    自立姿勢
【図１】
2018015899.tif 000003
【図２】
2018015899.tif 000004
【図３】
2018015899.tif 000005
【図４】
2018015899.tif 000006
【図５】
2018015899.tif 000007
【図６】
2018015899.tif 000008
【図７】
2018015899.tif 000009
【手続補正書】
【提出日】平成29年11月22日(2017.11.22)
【手続補正１】
【補正対象書類名】特許請求の範囲
【補正対象項目名】請求項５
【補正方法】変更
【補正の内容】
【請求項５】
前記第１のボードの外面及び前記第２のボードの外面の少なくともいずれか一方に小物入れが備えられていることを特徴とする請求項１ないし４のいずれか一項に記載のスタンド機能カバー。